(57)【要約】【課題】加工状態に応じて異常を検出することが可能な、深穴加工装置を提供する。【解決手段】本発明は、ワークに深穴を形成する深穴加工装置であって、先端に切刃が取り付けられた管状工具と、管状工具を軸周りに回転する回転駆動ユニットと、回転駆動ユニットを進退させる進退ユニットと、管状工具の切刃に向けて切削油を供給する油供給ユニットと、油供給ユニットから供給される切削油の油路に設けられ、切削油の圧力を計測する圧力計測部と、正常加工時における前記管状工具のワークへの加工深さと、当該各加工深さにおける圧力計測部で計測される圧力との関係を示すデータ、及び当該データに基づいて規定された各加工深さにおける異常圧力を記憶する記憶部と、圧力計測部によって計測された圧力が異常圧力に達したとき、回転駆動ユニット及び進退ユニットの駆動を制御する制御部と、を備えている。【選択図】図４
2010064165.tif 000002
【特許請求の範囲】
【請求項１】
ワークに深穴を形成する深穴加工装置であって、
先端に切刃が取り付けられた管状工具と、
前記管状工具を軸周りに回転する回転駆動ユニットと、
前記回転駆動ユニットを進退させる進退ユニットと、
前記管状工具の切刃に向けて切削油を供給する油供給ユニットと、
前記油供給ユニットから供給される切削油の油路に設けられ、切削油の圧力を計測する圧力計測部と、
正常加工時における前記管状工具のワークへの加工深さと、当該各加工深さにおける前記圧力計測部で計測される圧力との関係を示すデータ、及び当該データに基づいて規定された前記各加工深さにおける異常圧力を記憶する記憶部と、
前記圧力計測部によって計測された圧力が前記異常圧力に達したとき、前記回転駆動ユニット及び進退ユニットの駆動を制御する制御部と、
を備えている、深穴加工装置。
【請求項２】
前記油供給ユニットは、切削油が収容されたタンクと、当該タンクから前記管状工具へ切削油を供給する油圧回路とを有し、
前記油圧回路は、安全弁が設けられた第１分流路と、絞り弁が設けられた第２分流路とを有している、請求項１に記載の深穴加工装置。
【請求項３】
前記油圧回路は、前記タンクから並列に延びて合流する複数の油路を有しており、
前記各油路には、出力の異なる複数のポンプが設けられ、少なくとも１つの前記ポンプを駆動することによって、切削油を前記管状工具の切刃に向けて供給する、請求項２に記載の深穴加工装置。
【請求項４】
前記管状工具を支持する支持ユニットをさらに備えており、
前記支持ユニットは、本体部と、当該本体部に進退可能に支持される第１押圧部とを有し、
前記第１押圧部は、前記管状工具を回転可能に支持するとともに、ワークに当接し、
前記第１押圧部には、前記油供給ユニットから供給される切削油を、前記管状工具の外周面に供給する供給流路が形成されており、
切削油は、前記管状工具の外周面を通過して前記管状工具の切刃側に供給されるとともに、切粉とともに前記管状工具の内部空間を通過して回収される、請求項１から３のいずれかに記載の深穴加工装置。
【請求項５】
前記本体部に進退可能に支持される第２押圧部をさらに有し、
前記第２押圧部は、前記管状工具を回転可能に支持するとともに、ワークに当接し、
前記油供給ユニットは、前記管状工具の内部を介して切刃側に切削油を供給し、
前記第２押圧部には、切粉とともに前記管状工具の外周面を通過した切削油が通過する回収流路が形成されており、
前記第１及び第２押圧部は、選択的に前記本体部に取付可能である、請求項４に記載の深穴加工装置。
【発明の詳細な説明】
【技術分野】
【０００１】
本発明は、ワークに深穴を形成する深穴加工装置に関する。
【背景技術】
【０００２】
ワークに深穴を形成する深穴加工装置としては、例えば、ＢＴＡ(Boring & Trepanning Association)方式の装置が知られている。この装置では、先端に切刃が取り付けられた円筒状のボーリングバーを回転することで、ワークに深穴を形成する。このとき、ボーリングバーとワークとの隙間から高圧の切削油を供給している。そして、この切削油は切粉とともに、ボーリングバーの内部を通過して排出される。
【０００３】
ところで、特許文献１に記載の深穴加工装置では、加工状態の異常を検出するため、切削油の圧力を測定し、所定の圧力を検出したときに、警報信号を発生するように構成されている。そして、警報信号が発生した場合には、必要に応じて装置を停止するようにしている。
【特許文献１】実開平４−７６３０７号公報
【発明の開示】
【発明が解決しようとする課題】
【０００４】
しかしながら、深穴加工において、切削油の圧力は常時変化しているため、異常を示す圧力も常時変化している。したがって、上記特許文献１のように警報信号を発生する圧力を一律に規定することは、加工の実情に合わず、異常ではない圧力であっても装置が停止されるおそれがある。
【０００５】
本発明は、上記問題を解決するためになされたものであり、加工状態に応じて異常を検出することが可能な、深穴加工装置を提供することを目的とする。
【課題を解決するための手段】
【０００６】
本発明は、ワークに深穴を形成する深穴加工装置であって、上記問題を解決するためになされたものであり、先端に切刃が取り付けられた管状工具と、前記管状工具を軸周りに回転する回転駆動ユニットと、前記回転駆動ユニットを進退させる進退ユニットと、前記管状工具の切刃に向けて切削油を供給する油供給ユニットと、前記油供給ユニットから供給される切削油の油路に設けられ、切削油の圧力を計測する圧力計測部と、正常加工時における前記管状工具のワークへの加工深さと、当該各加工深さにおいて前記圧力計測部で計測される圧力との関係を示すデータ、及び当該データに基づいて規定された前記各加工深さにおける異常圧力を記憶する記憶部と、前記圧力計測部によって計測された圧力が前記異常圧力に達したとき、前記回転駆動ユニット及び進退ユニットの駆動を制御する制御部と、を備えている。
【０００７】
この構成によれば、正常加工時における管状工具のワークへの加工深さと切削油の圧力との関係を示すデータを予め記憶しておき、これに基づいて異常圧力を規定している。そして、計測された圧力が異常圧力に達したとき、制御部によって回転駆動ユニット及び進退ユニットの駆動を制御している。切削油の圧力は、管状工具の加工深さが長くなるほど、高くなる傾向にあるため、このように加工深さごとに異常圧力を規定しておけば、実際の加工状態に応じた異常を検出することができる。一方、従来例では、いずれの加工深さでも規定された異常圧力が一定であるため、加工深さが短い場合には異常が発生しても検出できないおそれがあった。これに対して、本発明では、加工状態ごと、特に加工深さごとに応じた異常圧力を設定しているため、いずれの加工状態においても、工具の破損などを未然に防止することができる。
【０００８】
なお、記憶部には、種々の加工条件におけるデータを記憶しておくことができる。すなわち、加工状態は、ワークや切刃の種類、切削条件などによって変化するため、各加工条件におけるデータを蓄積し、それに応じた異常圧力を設定しておけば、種々の加工条件にも対応することができる。また、異常圧力を検出した場合には、回転駆動ユニットの停止、減速などの制御を行うことができる。
【０００９】
上記装置においては、油供給ユニットを、切削油が収容されたタンクと、当該タンクから前記管状工具へ切削油を供給する油圧回路とで構成することができ、さらに、油圧回路に、安全弁が設けられた第１分流路と、絞り弁が設けられた第２分流路とを設けることができる。このように構成された油圧回路では、切削油の流れに、例えば、切粉の詰まりなどで抵抗が生じれば、計測される圧力が上昇するようなる。よって、上述した制御が可能になる。
【００１０】
また、上記装置において、油圧回路に、タンクから並列に延びて合流する複数の油路を設けるとともに、各油路に、出力の異なる複数のポンプを設けることができる。そして、少なくとも１つのポンプを駆動することによって、切削油を管状工具に向けて供給する。こうすることで、必要な出力、例えば揚水能力に応じて切削油を供給することができる。例えば、必要とする油量が少ない場合には、いずれか１つのポンプを用い、油量が多い場合にはいくつかのポンプを同時に駆動すればよい。これにより、効率的に切削油を供給することが可能になる。
【００１１】
上記装置は、次のように構成することができる。まず、管状工具を支持する支持ユニットをさらに設け、この支持ユニットを、本体部と、当該本体部上で進退可能な第１押圧部とで構成する。そして、第１押圧部は、管状工具を回転可能に支持するとともに、ワークに当接させる。これにより、ワークを強固に保持することができ、管状工具を安定的に駆動することができる。また、第１押圧部には、油供給ユニットから供給される切削油を、管状工具の外周面に供給する供給流路を形成しておき、切削油は、管状工具の外周面を通過して管状工具の切刃側に供給する。そして、切削油は、切粉とともに管状工具の内部を通過して回収される。この構成は、切削油を管状工具の外周面を通して供給するため、ＢＴＡ方式の深穴加工に適用することができる。
【００１２】
また、本体部上で進退可能な第２押圧部をさらに準備することもできる。この第２押圧部は、管状工具を回転可能に支持するとともに、ワークに当接させる。そして、油供給ユニットにより、管状工具の内部を介して切刃側に切削油を供給し、第２押圧部には、切粉とともに管状工具の外周面を通過した切削油が通過する回収流路が形成する。この構成は、管状工具の内部から切削油を供給するので、ガンドリルに対して適用することができる。また、第１及び第２押圧部は、選択的に基台部に取付可能となっているため、加工条件に応じて、例えば、ＢＴＡとガンドリルとを使い分けることができる。
【発明の効果】
【００１３】
本発明に係る深穴加工装置によれば、加工状態に応じて異常を検出することができる。
【発明を実施するための最良の形態】
【００１４】
以下、本発明に係る深穴加工装置をＢＴＡ式加工装置に適用した場合の一実施形態について図面を参照しつつ説明する。図１は本実施形態に係るＢＴＡ式加工装置の正面図であり、図２は図１の平面図である。以下の説明では、図１の右側を先端側または前側、左側を後端側または後側として説明することがある。
【００１５】
図１に示すように、この装置は、基台１と、この基台１上に配置され工具を回転する回転駆動ユニット２とを備えている。工具は、深穴加工を行うために長尺状に延びる管状工具３であり、先端に切刃が取り付けられている。そして、基台１の右側のテーブル１５上面に着脱自在に固定されたワークＷに向かって延びている。基台１上には、図１の左右方向に延びる一対のガイドレール１１が平行に配置されており、このガイドレール１１に沿って回転駆動ユニット２が移動可能となっている。基台１の後端部には、回転駆動ユニット２を移動するための送り用モータ１２が配置されている。
【００１６】
基台１の右側の端部には、ワークＷの左側面を押圧するプレッシャーヘッド４が配置されており、このプレッシャーヘッド４は後述するように、管状工具３を回転自在に支持するとともに、加工部位に切削油を供給する役割を果たす。また、プレッシャーヘッド４と回転駆動ユニット２との間には、管状工具３を回転自在に支持する振れ止め１３が配置されている。また、ワークＷを挟んでプレッシャーヘッド４の反対側には、ワークＷの右側面を押圧する第一油受け１４が同心上に配置されている。すなわち、加工時には、プレッシャーヘッド４と、第一油受け１４とでワークＷを狭み、後述する管状工具３から吐出される切削油を、この管状工具３がワークＷの右側面から突き抜けたときに第一油受け１４が受容する。
【００１７】
図２に示すように、基台１には、使用済みの切削油及び切粉を流す樋５が隣接しており、基台１の長手方向に延びている。この樋５は、基台１に沿って延びる本流路５１と、ここから分離する分離路５２とからなるＴ字型に形成されており、分離路５２は、切粉と切削油とを分離する分離ユニット６まで延びている。本流路５１は、分流路５２に向かって傾斜しており、本流路５１に排出された切削油が分流路５２に流れ込むようになっている。また、分離ユニット６には、分離された切削油を回収しプレッシャーヘッド４へ供給する油供給ユニット７が隣接している。
【００１８】
図３は、回転駆動ユニットの一部切欠断面図である。同図に示すように、回転駆動ユニット２は、モータ（図示省略）を内蔵した筐体２１を備え、この筐体２１の内部に切削油を通すための管状部材２２が配置され、左右方向に延びている。筐体２１の先端部には、モータと一体的に回転するアダプター２３が取り付けられており、このアダプター２３を介して管状部材２２と管状工具３とが液密に連結されている。この状態で、管状部材２２と管状工具３とは内部が連通し、液体が通過可能となっている。そして、管状工具３は管状部材２２と共に、モータ（図示省略）によって軸周りに回転されるようになっている。管状部材２２は、モータと一体的に回転する中空軸２７内に固定保持される。また、中空軸２７の後端部は、筐体２１から突出しており、切削油の排出管２８が管状部材２２と同心に連結されている。排出管２８の後端は第二油受け２４の開口内に挿入されている。図２に示すように、第二油受け２４は、樋５の本流路５１に延びているため、回転駆動ユニット２とともに進退しても常に本流路５１上にある。したがって、回転駆動ユニット２がいずれの位置にあっても、切削油は本流路５１に排出される。
【００１９】
図４は、プレッシャーヘッドの断面図である。同図に示すように、プレッシャーヘッド４は、基台４１と、その上面に配置された本体部４２とを有している。本体部４２には、図４の左右方向に延びる貫通孔４２１が形成されており、この貫通孔４２１にシリンダー４４とこれを支持する支持体４３が取り付けられている。支持体４３は、シリンダー４４の外周面を囲むように形成されており、シリンダー４４を進退可能に支持している。このシリンダー４４は、複動式の油圧シリンダーであり、支持体４３先端部の上部に形成された流路４３２から圧油を供給することで、シリンダー４４を後退させる。一方、支持体４３先端部の下部に形成された流路４３３から圧油を供給することでシリンダー４４を前進させるようになっている。
【００２０】
シリンダー４４の、ワークＷ側を向く前端面にはブッシュ４４２が装着され、このブッシュ４４２と同心状にシリンダー４４の内部には前後方向に延びる貫通孔４４１が形成されており、この貫通孔４４１に管状工具３が挿通されている。管状工具３の外周面と貫通孔４４１の内壁面との間には、隙間が形成されており、ブッシュ４４２の後端まで延びている。そして、この隙間と連通するように、支持体４３の上部からシリンダー４４に亘っては、切削油の供給流路４４４が形成されており、この供給流路４４４から、管状工具３と支持体４３との隙間に切削油が供給されるようになっている。また、図５に示すように、管状工具３の先端には径方向外方に突出する切刃３１ａが取り付けられ、さらに切刃３１ａの先端の回転軌跡上にその外周面の高さを一致させたパッド３１ｂを径方向に複数個配列させている。そのため、管状工具３の外周面とブッシュ４４２の内周面、または加工穴の内周面との間には常に隙間が形成されることになり、上述した切削油がこの隙間に供給され、深穴加工が行われる。また、切削油が外部に漏れないように、ワークＷに当接するブッシュ４４２の先端には管状工具３を囲むように環状のオイルシール４４２ａが取り付けられている。一方、シリンダー４４の内壁面の後端部にも後方にオイルが漏れないように、管状工具３と密着するオイルシール４４３が取り付けられている。また、加工時に生じる切粉は、切削油とともに、管状工具３の内部空間３２から排出され、上述した回転駆動ユニット２の後端部から排出管２８を介して樋５に排出される。
【００２１】
続いて、図６を参照しつつ分離ユニット及び油供給ユニットについて説明する。図６は、油圧回路を含むこれらのユニットの概略構成図である。同図に示すように、分離ユニット６には、隣接して配置された第１及び第２油槽６１，６２が設けられている。第１油槽６１には、切粉と切削油とを分離するマグネットコンベア６３が配置されており、このマグネットコンベア６３上に樋５から供給される切削油が注がれる。マグネットコンベア６３は、第１油槽６１内から外部へ向かって、コンベアが動作するようになっており、切削油に混じった切粉がコンベアに吸着される。切粉はコンベアによって第１油槽６１の外部へと排出され、回収箱６５に回収される。一方、第１油槽に収容された切削油は、オイルクーラー６４によって冷却される。そして、第１油槽６１から溢れた切削油が隣接する第２油槽６２に貯留される。
【００２２】
図６に示すように、油供給ユニット７は、分離ユニット６に隣接して配置されている。油供給ユニット７は、切削油をためるタンク７１と、このタンク１２から管状工具３に向けて切削油を供給するための油圧回路とを備えている。タンク７１には、分離ユニット６の第２油槽６２からポンプ６６によって切削油をくみ上げて貯留している。そして、油圧回路は、次のように構成されている。
【００２３】
まず、タンク７１から切削油をくみ上げる２つの汲み上げ油路７２ａ，７２ｂが設けられている。各油路７２ａ，７２ｂには、揚水能力の異なるポンプ、つまり小出力ポンプ７２１ａと、大出力ポンプ７２１ｂが取り付けられている。そして、これら油路７２ａ，７２ｂが合流して本流油路７３となって、３位置切換式の方向切換弁７４に接続されている。方向切換弁７４からは、ＢＴＡ用の油路７５ａと、後述するガンドリル用の油路７５ｂが延びており、図示の中央位置では方向切換弁７４はどちらの油路にも切削油を流さず、右位置を中央に置くと油路７５ａに、左位置を中央に置くと油路７５ｂにそれぞれ切削油が流れるようになっている。また、各汲み上げ油路７２ａ，７２ｂには、タンク７１側へ分流する油路７６ａ，７６ｂが連結されており、これらの油路７６ａ，７６ｂには、安全弁７６１ａ，７６１ｂがそれぞれ取り付けられている。さらに、本流油路７３にもタンク７１側へ分流する油路７７が連結されており、この油路７７には絞り弁からなる流量調整弁７７１が取り付けられている。
【００２４】
また、この油圧回路では、本流油路７３において油圧を計測する油圧計８が設けられている。そして、この油圧計８で計測された油圧は、コンピュータで構成された制御部９によって監視され、後述する異常圧力が検出されると、装置の駆動を停止するようになっている。
【００２５】
次に、上記のように構成された深穴加工装置の動作について説明する。まず、プレッシャーヘッド４を駆動し、シリンダー４４をワークＷに当接させる。次に、油供給ユニット７の油圧回路において、切換弁７４を図示右位置のＢＴＡ側に切り換えた後、ポンプ７２１を駆動し、切削油を管状工具３側へ供給する。このとき、管状工具３の径に合わせて供給する油量を調整する。すなわち、小出力及び大出力のポンプ７２１ａ，７２１ｂを同時作動させるかどちらか一方作動させるか適宜組み合わせて、切削油を供給する。続いて、管状工具３を回転しつつ回転駆動ユニット２をワークＷに向けて前進させる。こうして、ワークＷに対して深穴加工が施される。このとき、切削油は、上述したように、供給流路４４４から管状工具３の外周面を通過して加工部位に供給され、切粉とともに管状工具３の内部空間３２を通過し、樋５へと排出される。その後、分離ユニット６において切粉と切削油が分離され、切削油はオイルクーラー６４によって冷却された後、タンク７１にためられ、再び管状工具３へと供給される。
【００２６】
続いて、この深穴加工装置における切削異常の検出方法について説明する。切削異常とは、例えば、切粉が管状工具３に詰まったため、油圧が高くなり、工具が折れたり、損傷したりすることをいう。この異常を検出するため、まず、正常状態の圧力を測定する。上述したように、油圧回路には、本流油路７３に絞り弁７７１が設けられているので、切削油の流れに抵抗が生じれば、油圧が上昇するようになっている。すなわち、管状工具３が前進し、ワークＷへの加工深さが長くなると、切削油の圧力は高くなっていく。そこで、正常運転時における管状工具の加工深さと油圧との関係を示すデータを記録する。図７は、その一例である。同図には、低出力ポンプのみを使用したときのデータ、及び両ポンプを使用したときのデータを示している。そして、このデータに基づいて各加工深さにおける異常圧力を規定する。つまり、計測されたデータよりも所定圧力ΔＰだけ高い圧力を規定し、これを異常圧力とする。異常圧力の設定は、過去の異常発生時のデータなどから経験的、理論的に設定することができる。そして、これらデータ及び設定された異常圧力は、ハードディスク、メモリなどの記憶部に保存しておく。なお、このようなデータは、ワークや切刃の種類、加工条件ごとに記憶しておくことができる。
【００２７】
そして、加工時には、圧力計８によって逐次圧力を計測しておき、管状工具３の加工深さとの関係から、異常圧力が検出されたときには、制御部９によって、直ちに工具３の回転と前進とを停止する。これにより、工具の損傷を未然に防止することができる。
【００２８】
以上のように、本実施形態によれば、正常加工時における管状工具３のワークＷへの加工深さと切削油の圧力との関係を示すデータを予め記憶しておき、これに基づいて異常圧力を規定している。そして、計測された圧力が異常圧力に達したとき、制御部９によって回転駆動ユニット２及び送り用モータ１２の駆動を調整する。切削油の圧力は、管状工具３の加工深さが長くなるほど、高くなる傾向にあるため、このように加工深さごとに異常圧力を規定しておけば、実際の加工状態に応じた異常を検出することができる。したがって、いずれの加工状態においても、工具の破損などを未然に防止することができる。
【００２９】
ところで、上述したように、上記実施形態に係る装置では、ＢＴＡ方式の工具のほか、ガンドリルを使用することもできる。そこで、ガンドリルを使用するには、工具のほか、プレッシャーヘッド及び回転駆動ユニットのパーツを交換する必要がある。まず、工具について説明する。図８はガンドリルを示す管状部材１０の正面図である。同図に示すように、ガンドリル用の管状工具１０は、ＢＴＡに比べて小径の深穴を加工する際に使用される。この管状工具１０の先端は、扇形の切り欠き１０１が形成された断面を有しており、この切り欠き面１０１が切刃となって加工が行われる。また、切削油は管状工具の異形状の内部空間１０２から供給される。このような管状工具１０を取り付けるため、プレッシャーヘッドは、図９のように構成されている。図９は、ガンドリル用のプレッシャーヘッドの断面図である。このプレッシャーヘッドが図４のものと相違するのは、シリンダー４６と、これを支持する支持体４５の構成であり、基台４１及び本体部４２はＢＴＡと同じものが使用される。つまり、ガンドリルを使用する場合には、シリンダー４６と支持体４５を交換する。
【００３０】
図９に示すように、このプレッシャーヘッドのシリンダー４６は、複動式の油圧シリンダーである。そして、支持体４５は、図４のものと同様に、シリンダー４６を進退自在に支持する貫通孔４５１、前後進用の圧油の油路４５２，４５３が形成されている。相違点として、切削油を供給する供給流路は設けられていない。そして、支持体４５の後端部の下面には開口４２１が形成され、基台４１に設けられた排出口４１１に通じている。なお、この排出口４１１は、切削油を回収する樋５に通じている。
【００３１】
シリンダー４６の内部には前後方向に延びる貫通孔４６１が形成されており、この貫通孔４６１に、管状工具１０が挿通されている。また、貫通孔４６１は、後端にいくにしたがって裾広がりに形成されており、支持体４５の貫通孔４５１と連通している。すなわち、シリンダー４６の貫通孔４６１は、基台４１の排出口４１１に通じている。シリンダー４６の先端には、貫通孔４６１が形成されたブッシュ４６２が取り付けられている。このブッシュ４６２は、管状工具１０を回転自在に支持するとともに、ワークＷに対して当接する。ワークＷとの当接部分には、管状工具１０の周囲を囲む環状の突起４６３が一体形成されている。
【００３２】
次に、回転駆動ユニットについて図１０を参照しつつ説明する。図１０はガンドリル用回転駆動ユニットの断面図である。同図に示す回転駆動ユニット２が図３のものと相違するのは、管状工具１０を取り付けるアダプターと、排出管である。アダプター２５は、ガンドリル用の管状工具１０を支持するとともに、管状工具１０が筐体２１内部の管状部材２２と液密に連通するように構成されている。また、このガンドリルでは、管状工具１０の内部空間１０２に切削油を供給するため、筐体２１の中空軸２７の後端には、油供給ユニット７から延びるパイプを接続するスイベルジョイント型の連結部材２６が管状部材２２と同心上に取り付けられている。この連結部材２６は、回転駆動ユニット２のフレーム枠などに固定され、その内部にある回転自在な油受継部（図示せず）を管状部材２２に接続する。したがって、ガンドリル用の管状工具１０を使用する場合には、図３に示す中空軸２７の後端の排出管２８を連結部材２６に付け替え、さらに回転駆動ユニット２先端のアダプター２５をガンドリル用に交換した上で、管状工具１０を取り付ける。第二油受け２４の開口は閉じられる。その他の相違点として、図６に示すように、油圧回路には、ガンドリル用の油路７５ｂが形成されている。ＢＴＡ用の油路７５ａと相違するのは絞り弁７５１ｂが取り付けられている点である。
【００３３】
続いて、この深穴加工装置をガンドリルとして使用する場合の動作について説明する。まず、プレッシャーヘッド４を駆動し、シリンダー４６のブッシュ４６２をワークＷに当接させる。次に、油供給ユニット７の油圧回路において、切換弁７４を図示左位置のガンドリルに切り換えた後、ポンプ７２１を駆動し、切削油を管状工具１０側へ供給する。続いて、管状工具１０を回転しつつ回転駆動ユニット２をワークＷに向けて前進させる。こうして、ワークＷに対して深穴加工が施される。このとき、切削油は、上述したように、回転駆動ユニット２の後端部から管状工具１０の内部に供給され、加工部位に流れ込む。その後、切削油は、切粉とともに管状工具１０の切り欠き部１０１とブッシュ４６２の内周面との間、ならびに貫通孔４６１を通過して基台４１の排出口４１１へ流れ込み、樋５へと排出される。その後、分離ユニット６において切粉と切削油が分離され、切削油は冷却された後、タンクにためられ、再び管状工具１０へと供給される。
【００３４】
以上、本発明の一実施形態について説明したが、本発明はこの実施形態に限定されるものではなく、その趣旨を逸脱しない限りにおいて種々の変更が可能である。例えば、ＢＴＡ方式、ガンドリル用の管状工具は、上述した図５，図８に示されたものに限定されるものではなく、ＢＴＡ方式、ガンドリル用の一般的な形態の工具であれば、適用可能である。
【図面の簡単な説明】
【００３５】
【図１】本実施形態に係るＢＴＡ式加工装置の正面図である。
【図２】図１の平面図である。
【図３】回転駆動ユニットの一部切欠断面図である。
【図４】プレッシャーヘッドの断面図である。
【図５】ＢＴＡ方式の管状工具の先端の正面図である。
【図６】油圧回路を含むこれらのユニットの概略構成図である。
【図７】正常運転時における管状工具の加工深さと油圧との関係を示すグラフである。
【図８】ガンドリルを示す管状部材の正面図である。
【図９】ガンドリル用のプレッシャーヘッドの断面図である。
【図１０】ガンドリル用回転駆動ユニットの断面図である。
【符号の説明】
【００３６】
１  基台（進退ユニット）
１１  ガイドレール（進退ユニット）
１２  送り用モータ（進退ユニット）
２  回転駆動ユニット
３  管状工具（ＢＴＡ方式）
３１  切刃
３２  内部空間
４  プレッシャーヘッド（支持ユニット）
４２  本体部
４４  シリンダー（第１押圧部）
４６  シリンダー（第２押圧部）
７  油供給ユニット
７１  タンク
７２１ａ  小出力ポンプ
７２１ｂ  大出力ポンプ
７６１ａ，７６１ｂ  安全弁
７７  分流路  
７７１  絞り弁
８  圧力計（圧力計測部）
９  制御部
１０  管状工具（ガンドリル）
【図１】
2010064165.tif 000003
【図２】
2010064165.tif 000004
【図３】
2010064165.tif 000005
【図４】
2010064165.tif 000006
【図５】
2010064165.tif 000007
【図６】
2010064165.tif 000008
【図７】
2010064165.tif 000009
【図８】
2010064165.tif 000010
【図９】
2010064165.tif 000011
【図１０】
2010064165.tif 000012